【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
ターゲットの複合材料を超音波検査するための中赤外レーザーシステムであって、
該中赤外レーザーシステムは、生成レーザー源及び検出レーザー源が取り付けられたレーザー超音波ユニットを備え、
前記生成レーザー源が、
約１μｍの波長の出力ビームを有するイットリウムアルミニウムガーネット（ＹＡＧ）レーザーと、
前記ＹＡＧレーザーに動作可能に結合されたポンプダイオードと、
前記ＹＡＧレーザーの出力ビームに動作可能に結合され、約１．９４μｍの波長を有する出力ビームを有する第１の光周波数変換器と、
前記第１の光周波数変換器の前記出力ビームに結合された中赤外放射ヘッドであって、レーザー装置及び第２の光周波数変換器を備え、前記レーザー装置が、前記第１の光周波数変換器の前記出力ビームを受け取るように結合され、前記第２の光周波数変換器に向けられる出力を有する、中赤外放射ヘッドと
を備え、
前記第２光周波数変換器からの出力生成ビームが、約５．７μｍの波長を有するアイドラビーム及び約３．２μｍの波長を有する信号ビームを有し、ターゲットの表面に超音波熱弾性変位が生じるように前記ターゲットに配向されており、
前記検出レーザー源が、前記レーザー超音波ユニットから、前記超音波熱弾性変位に接触すると散乱して位相変調光を形成する検出ビームを生成し、
前記中赤外レーザーシステムはさらに、前記位相変調光を受け取り処理して、前記超音波熱弾性変位を表すデータを供給する集光光学素子を備える
ことを特徴とするシステム。
【請求項２】
請求項１記載の中赤外レーザーシステムにおいて、前記ＹＡＧレーザーは、ネオジウムイットリウムアルミニウムガーネット（Ｎｄ：ＹＡＧ）レーザー及びイッテルビウムドープイットリウムアルミニウムガーネット（Ｙｂ：ＹＡＧ）レーザーからなるリストから選択されるレーザーを含むことを特徴とする中赤外レーザーシステム。
【請求項３】
請求項１又は２記載の中赤外レーザーシステムにおいて、前記第１の光周波数変換器は、光パラメトリック発振器を含むことを特徴とする中赤外レーザーシステム。
【請求項４】
請求項１〜３いずれかに記載の中赤外レーザーシステムにおいて、前記ポンプダイオードは、波長が約８０８ｎｍの光ビームを放射することを特徴とする中赤外レーザーシステム。
【請求項５】
請求項１〜４いずれかに記載の中赤外レーザーシステムにおいて、前記レーザー装置が、前記第２の光周波数変換器に配向される２．０５μｍの出力ビームを出力することを特徴とする中赤外レーザーシステム。
【請求項６】
請求項１〜５いずれかに記載の中赤外レーザーシステムにおいて、前記レーザー装置が、ホルミウムイットリウムリチウムフロライド（Ｈｏ：ＹＬＦ）レーザー及びホルミウムイットリウムアルミニウムガーネット（Ｈｏ：ＹＡＧ）レーザーからなるリストから選択されるレーザー装置であることを特徴とする中赤外レーザーシステム。
【請求項７】
請求項１〜６いずれかに記載の中赤外レーザーシステムにおいて、前記第２の光周波数変換器は、光パラメトリック発振器を含むことを特徴とする中赤外レーザーシステム。
【請求項８】
請求項１〜７いずれかに記載の中赤外レーザーシステムにおいて、該システムはさらに、前記ＹＡＧレーザーを励起するための追加のダイオードポンプを備えていることを特徴とする中赤外レーザーシステム。
【請求項９】
検査物体の複合材料を超音波分析するためのシステムであって、
該システムは、生成レーザー源及び検出レーザー源が取り付けられた前記レーザー超音波ユニットを備え、
前記生成レーザー源が、
それぞれが約８０８ｎｍの波長の出力ビームを有する一対のダイオードポンプと、
前記ダイオードポンプの前記出力ビームと協働する対向する端部を有し、かつ約１μｍの波長の出力ビームを出力するＹＡＧレーザーと、
前記ＹＡＧレーザーの前記出力ビームと協働する第１の光パラメトリック発振器であって、約１．９４μｍの波長の出力ビームを発生し、前記ＹＡＧレーザーとの間の経路が前記ビームの形状を改変するいずれの装置にも結合されていない、第１の光パラメトリック発振器と、
前記第１の光パラメトリック発振器の前記出力ビームを受け取る光ファイバーと、
前記光ファイバーに結合され、前記第１の光パラメトリック発振器の前記出力ビームを受け取り、約２．０５μｍの波長の出力ビームを出力するホルミウムレーザーと、
前記ホルミウムレーザーの前記出力ビームと協働する第２の光パラメトリック発振器であって、前記検査物体の複合材料の超音波熱弾性変位が生じるように前記検査物体に向けられる、約５．７μｍの波長のアイドラビーム及び約３．２μｍの信号ビームを含む出力生成ビームを出力する第２の光パラメトリック発振器と
を備えており、
前記検出ビーム源が、前記生成ビームと同軸上にありかつ前記生成ビームを取り囲む検出ビームであって、前記超音波熱弾性変位と接触すると散乱されて位相変調光を形成する検出ビームを生成するよう構成されており、
前記中赤外レーザーシステムはさらに、前記位相変調光を受け取り処理して、前記超音波熱弾性変位を表すデータを供給する集光光学素子を備える
ことを特徴とする中赤外レーザーシステム。
【請求項１０】
請求項９記載の中赤外レーザーシステムにおいて、前記ＹＡＧレーザーは、ネオジウムイットリウムアルミニウムガーネット（Ｎｄ：ＹＡＧ）レーザー及びイッテルビウムドープイットリウムアルミニウムガーネット（Ｙｂ：ＹＡＧ）レーザーからなるリストから選択されるレーザーを含むことを特徴とする中赤外レーザーシステム。
【請求項１１】
請求項９又は１０記載の中赤外レーザーシステムにおいて、前記レーザー装置は、ホルミウムイットリウムリチウムフロライド（Ｈｏ：ＹＬＦ）レーザー及びホルミウムイットリウムアルミニウムガーネット（Ｈｏ：ＹＡＧ）レーザーからなるリストから選択されることを特徴とする中赤外レーザーシステム。
【請求項１２】
複合材料から形成された物体を検査する方法であって、
ＹＡＧレーザー、ホルミウムレーザー、及び検出レーザー源を、レーザー超音波ユニットに取り付けるステップと、
ポンプダイオードで前記ＹＡＧレーザーを励起して、約１μｍの波長のビームを前記ＹＡＧレーザーから放射させるステップと、
前記ＹＡＧレーザーからの前記ビームを、前記ビームの形状を変えずに光周波数変換器に送り、前記ＹＡＧレーザーからの前記ビームを前記光周波数変換器で処理して、約１．９４μｍの波長のレーザービームを形成するステップと、
前記１．９４μｍの波長のレーザービームを前記ホルミウムレーザー及び光パラメトリック発振器で処理して、約５．７μｍの波長のアイドラビーム及び約３．２μｍの波長の信号ビームを有する中赤外生成レーザービームを形成するステップと、
前記レーザー超音波ユニットからの前記中赤外生成レーザービームをパルス状にして前記物体に配向して、前記物体の前記複合材料の超音波熱弾性変位を生じさせるステップと、
前記レーザー超音波ユニット内の前記検出ビーム源からの検出レーザービームを前記超音波熱弾性変位に放射し、該変位への接触により散乱させて位相変調光を形成するステップと、
集光光学素子で前記位相変調光を受け取って該位相変調光を処理して、前記超音波熱弾性変位を表すデータを供給するステップと
を含むことを特徴とする検査方法。
【請求項１３】
請求項１２記載の検査方法において、前記検出レーザービームは、前記生成レーザービームと同軸上にあり、かつ前記生成レーザービームを取り囲んでいることを特徴とする検査方法。